(57)【要約】【課題】ダイヤル操作が行われる際に内線番号等が外部の交換機に漏れるのを防止する電話機アダプタを提供することを目的とする。【解決手段】ダイヤル操作が行われる際における電話機３０（端末）のインピーダンス変化を検出し、検出したインピーダンス変化と逆相のインピーダンス変化を電話回線Ｌ（回線）に付加する制御を行うインピーダンス制御回路２１（インピーダンス制御手段）を備える。インピーダンス制御回路２１は、電話機３０がオフフックになってダイヤル操作が行われる際に、交換機１０から見た電話機３０のインピーダンスをほぼ一定にする。言い換えれば、交換機１０は電話機３０から出力されたはずの信号を受信できないので、ダイヤル操作が行われる際の電話番号を認識できない。したがって、ダイヤル操作が行われる際に内線番号等が外部の交換機１０に漏れるのを防止することができる。【選択図】図１
2007318213.tif 000002
【特許請求の範囲】
【請求項１】
回線に供給される電源によって作動するように構成され、端末で行われたダイヤル操作に基づく電話番号に対して一定条件下で特定の電話番号を付加して交換機に出力し、通信通話を確立する電話機アダプタであって、
ダイヤル操作が行われる際における前記端末のインピーダンス変化を検出し、検出したインピーダンス変化と逆相のインピーダンス変化を前記回線に付加する制御を行うインピーダンス制御手段を有する電話機アダプタ。
【請求項２】
請求項１に記載した電話機アダプタであって、
インピーダンス制御手段は、回線に供給される電力のピーク値を検出して保持するピークホールド回路と、ダイヤル操作に伴って変化する前記回線の電圧値と前記ピーク値との差分値を出力する演算回路と、当該演算回路から出力された差分値に従って回線上のインピーダンス値を変化させるレギュレータとを有する電話機アダプタ。
【発明の詳細な説明】
【技術分野】
【０００１】
本発明は、いわゆる電源レスアダプタであって、ダイヤル操作に基づく電話番号に対して特定の電話番号を付加して交換機に出力する電話機アダプタに関する。
【背景技術】
【０００２】
従来では、ダイヤル操作された電話番号（選択信号）に特定の電話番号を付加して交換機に出力する電話機アダプタ（例えばＬＣＲ装置）として、外部からの商用電源の供給を不要にし、かつ電源回路を小型化した電話機アダプタに関する技術の一例が開示されている（例えば特許文献１を参照）。一般に、電話機（端末）の受話器が持ち上げられてオフフックになると、回線に閉回路が形成される。
【特許文献１】特開平１１−４１３３５号公報
【発明の開示】
【発明が解決しようとする課題】
【０００３】
しかし、オフフックの状態でダイヤル操作が行われると、例えば内線番号等のように特定の電話番号を付加する必要が無い電話番号はそのままダイヤル信号として交換機に出力する。この場合は、例えば「その番号は使われていません」旨の音声信号などが交換機から返ってくる。したがって、ダイヤル操作が行われる際に内線番号等が漏れて外部の交換機に認識されてしまうという問題があった。
本発明はこのような点に鑑みてなしたものであり、ダイヤル操作が行われる際に内線番号等が外部の交換機に漏れるのを防止する電話機アダプタを提供することを目的とする。
【課題を解決するための手段】
【０００４】
（１）課題を解決するための手段（以下では単に「解決手段」と呼ぶ。）１は、回線に供給される電源によって作動するように構成され、端末で行われたダイヤル操作に基づく電話番号に対して一定条件下で特定の電話番号を付加して交換機に出力し、通信通話を確立する電話機アダプタであって、ダイヤル操作が行われる際における前記端末のインピーダンス変化を検出し、検出したインピーダンス変化と逆相のインピーダンス変化を前記回線に付加する制御を行うインピーダンス制御手段を有することを要旨とする。
なお「交換機」は、電話会社等に設置される一般的な交換機（以下では「外部交換機」と呼ぶ。）に限らず、構内に設置される構内交換機（ＰＢＸ）を含む。
【０００５】
解決手段１によれば、インピーダンス制御手段は、端末がオフフックになってダイヤル操作が行われる際に検出したインピーダンス変化と逆相のインピーダンス変化を回線に付加する制御を行うので、交換機から見た端末のインピーダンスはほぼ一定になる。言い換えれば、交換機は端末から出力されたはずの信号を受信できないので、ダイヤル操作が行われる際の電話番号を認識できない。したがって、ダイヤル操作が行われる際に内線番号等が外部の交換機に漏れるのを防止することができる。
【０００６】
（２）解決手段２は、解決手段１に記載した電話機アダプタであって、請求項１に記載した電話機アダプタであって、インピーダンス制御手段は、回線に供給される電力（すなわち電圧または電流）のピーク値を検出して保持するピークホールド回路と、ダイヤル操作に伴って変化する前記回線の電圧値と前記ピーク値との差分値を出力する演算回路と、当該演算回路から出力された差分値に従って回線上のインピーダンス値を変化させるレギュレータとを有することを要旨とする。
【０００７】
解決手段２によれば、ピークホールド回路、演算回路およびレギュレータは、いずれも周知の回路や素子等であり、安価で入手できる。したがって、インピーダンス制御手段を簡単に構成することができ、しかもコストを安く抑えることができる。
【発明の効果】
【０００８】
本発明によれば、端末でダイヤル操作が行われるとき、外部の交換機から見た端末のインピーダンスがほぼ一定になるように制御されるので、内線番号等が外部の交換機に漏れるのを防止することができる。
【発明を実施するための最良の形態】
【０００９】
本発明を実施するための最良の形態について、図１〜図４を参照しながら説明する。
【００１０】
本形態は、端末として電話機を用いた例である。図１には本発明の構成例を模式的に表す。図２にはダイヤル操作時の状態を模式的に表す。図３にはインピーダンスの経時的な変化を表す。図４には選択信号送出時の状態を模式的に表す。なお、電話回線Ｌは二線式、すなわち２本の通信線Ｌ１、Ｌ２によって構成される。
【００１１】
まず、図１に表したアダプタ２０の構成例について説明する。本願発明の電話機アダプタに相当するアダプタ２０は、電源を持たないタイプ（いわゆる電池レスアダプタ）であって、交換機１０と電話機３０との間に電話回線Ｌを通じて接続する。このアダプタ２０は、スイッチＳＷ１、ＳＷ２、ＳＷ３、インピーダンス制御回路２１、記憶送出回路２５、検出制御回路２６などを有する。スイッチＳＷ３は電話回線Ｌのうちで一方側の通信線Ｌ１に接続され、結果的に電話機３０と直列に接続される。
【００１２】
インピーダンス制御回路２１はインピーダンス制御手段に相当し、通信線Ｌ１、Ｌ２の間にスイッチＳＷ１と直列に接続され、かつ電話機３０とは並列に接続される。このインピーダンス制御回路２１は、ダイヤル操作が行われる際における電話機３０のインピーダンス変化を検出し、検出したインピーダンス変化と逆相のインピーダンス変化を電話回線Ｌに付加する制御を行う。
【００１３】
上記のインピーダンス制御回路２１は一点鎖線内に図示するように、抵抗器Ｒ１、Ｒ２、演算回路２２、ピークホールド回路２３、レギュレータ２４などを有する。抵抗器Ｒ１、Ｒ２は、電話回線Ｌの分圧を演算回路２２に供給する。ピークホールド回路２３は、電話回線Ｌの分圧のうちピーク値を保持して出力する。演算回路２２は、プラス端子（＋）に入力された電話回線Ｌの分圧と、マイナス端子（−）に入力されたピークホールド回路２３のピーク値との差分値を演算して出力する。レギュレータ２４は例えば三端子シャントレギュレータ回路を用い、演算回路２２から出力された差分値に従ってインピーダンスを変化させる。このレギュレータ２４は電話回線Ｌのうちで他方側の通信線Ｌ２に接続されるので、結果的に電話機３０のインピーダンス変化と逆相のインピーダンス変化を電話回線Ｌに付加する作用を奏する。
【００１４】
記憶送出回路２５は、通信線Ｌ１、Ｌ２の間にスイッチＳＷ２と直列に接続され、かつ電話機３０とは並列に接続される。この記憶送出回路２５は、電話機３０でダイヤル操作された電話番号を検出して内部メモリに記憶し、記憶した電話番号によっては特定の電話番号を付加して交換機１０に送出する機能を有する。
【００１５】
検出制御回路２６は、電話機３０と並列に接続される。この検出制御回路２６は、電話回線Ｌの接続状態（開回路または閉回路）を検出し、検出結果に応じてスイッチＳＷ１、ＳＷ２、ＳＷ３のオン／オフを個別に制御する機能を有する。
【００１６】
上述のように構成されたアダプタ２０において、電話機３０でダイヤル操作を始め、通話を開始するまでの制御例を説明する。なお、ダイヤル操作前の接続状態は図１の通りである。すなわち、スイッチＳＷ１、ＳＷ２がともにオフであり、スイッチＳＷ３がオンである。電話機３０はオンフックの状態であるので、仮想的に表すフックスイッチＳＷｆはオフである。
【００１７】
電話機３０の受話器を持ち上げるとオフフックの状態になり、図２に示すように仮想的に表すフックスイッチＳＷｆはオンになる。よってスイッチＳＷ３を通じて電話回線Ｌが閉回路を構成し、交換機１０から供給される電源（すなわち電力）が検出制御回路２６に印加される。電圧や電流の供給を受けた検出制御回路２６は、電話回線Ｌが閉回路になったことを認識したので、スイッチＳＷ１、ＳＷ２の双方をオンにする。なお図２に表すように、通信線Ｌ１とスイッチＳＷ１との接続部を接続点Ｐ１とし、交換機１０とインピーダンス制御回路２１との中間部位を接続点Ｐ２とする。
【００１８】
スイッチＳＷ１がオンに切り換えられると、インピーダンス制御回路２１が作動する。この作動によるインピーダンスの変化例を図３に示す。図３では、接続点Ｐ１と接地とのインピーダンス変化を曲線Ｃ１で表し、接続点Ｐ２と接地とのインピーダンス変化を曲線Ｃ２で表す。曲線Ｃ１は電話機３０のダイヤル操作に伴うインピーダンス変化であり、曲線Ｃ２はインピーダンス制御回路２１によって制御されるインピーダンス変化である。
交換機１０から見た電話機３０のインピーダンス変化は、接続点Ｐ１と接続点Ｐ２との間のインピーダンス変化になる。すなわち曲線Ｃ２を基準とした曲線Ｃ１の変化値であるので、ほぼ一定値で維持される。したがって、電話機３０でダイヤル操作が行われていても、交換機１０は電話番号を認識することができない。
【００１９】
またスイッチＳＷ２がオンに切り換えられると、電話機３０でダイヤル操作された電話番号（選択信号）は、矢印Ｄ１で示すように記憶送出回路２５に送られる。記憶送出回路２５は、電話機３０から出力されるパルス信号やトーン信号を検出し、数値情報に変換した電話番号を内部メモリに記憶する。ダイヤル操作が行われなくなって所定期間（例えば２秒間）を経過すると、記憶送出回路２５はダイヤル操作の終了を検出し、ダイヤル終了信号（図２に表す終了信号）を検出制御回路２６に伝達する。ダイヤル終了信号を受けた検出制御回路２６は、図４に表すようにスイッチＳＷ１およびスイッチＳＷ３をオフにし、スイッチＳＷ２をオンで維持する。スイッチＳＷ１のオフによってインピーダンス制御回路２１の作動が停止し、スイッチＳＷ３のオフによって後述する電話番号（選択信号）が電話機３０に逆流するのを防止する。
【００２０】
記憶送出回路２５は、内部メモリに記憶した電話番号に基づいて、特定の電話番号（例えば「００ＸＸ（ＸＸは数字）」等のような事業者コード）を付加するか否かを決定する。付加する決定がされた場合には、特定の電話番号と内部メモリに記憶した電話番号とを組み合わせ、パルス信号やトーン信号に変換して交換機１０に送出する。付加しない決定がされた場合には、内部メモリに記憶した電話番号のみについて、パルス信号やトーン信号に変換して交換機１０に送出する。記憶送出回路２５から交換機１０への送出は、図４に表す矢印Ｄ２のように送られる。このように特定の電話番号を付加するか否かを決定することで、通話コストを安く抑えることができる。
【００２１】
記憶送出回路２５は交換機１０への送出を終えると、送出終了信号（図４に表す終了信号）を検出制御回路２６に伝達する。送出終了信号を受けた検出制御回路２６は、図１に表すようにスイッチＳＷ１をオフで維持し、スイッチＳＷ２をオフに切り換え、スイッチＳＷ３をオンに切り換える。ただし、電話機３０はオフフックのままであるので、フックスイッチＳＷｆは図４に示すようにオンのままである。この切換制御によって、電話機３０による通話が行える。電話機３０による通話を終えて受話器を置くとオンフックの状態になってフックスイッチＳＷｆもオフになるが、スイッチＳＷ１、ＳＷ２、ＳＷ３の状態は変わらない。したがって、次のダイヤル操作に備えた準備は既に完了している。
【００２２】
上述した実施の形態によれば、以下に表す各効果を得ることができる。
（１）インピーダンス制御回路２１は、電話機３０がオフフックになってダイヤル操作が行われる際に検出したインピーダンス変化と逆相のインピーダンス変化を回線に付加する制御を行うので、交換機１０から見た電話機３０のインピーダンスはほぼ一定になる。言い換えれば、交換機１０は電話機３０から出力されたはずの信号を受信できないので、ダイヤル操作が行われる際の電話番号を認識できない。したがって、ダイヤル操作が行われる際に内線番号等が外部の交換機１０に漏れるのを防止することができる。
【００２３】
（２）インピーダンス制御回路２１は、周知の回路や素子（すなわちピークホールド回路２３、演算回路２２およびレギュレータ２４）を用いて構成したので、インピーダンス制御手段を簡単に構成することができ、しかもコストを安く抑えることができる。
【００２４】
〔他の実施の形態〕
以上では本発明を実施するための最良の形態について実施の形態に従って説明したが、本発明は当該形態に何ら限定されるものではない。言い換えれば、本発明の要旨を逸脱しない範囲内において、種々なる形態で実施することが可能である。例えば、次に表す各形態を実現してもよい。
【００２５】
（１）上述した実施の形態では、端末として電話機３０を用いたが、電話回線Ｌにより通話が可能な機器（例えばコンピュータ）を用いてもよい。このような機器から電話番号（選択信号）が出力されるとき、インピーダンス制御回路２１が機器とは逆相のインピーダンス変化を電話回線Ｌに付加する制御を行うので、内線番号等が外部の交換機１０に漏れるのを防止することができる。
【００２６】
（２）上述した実施の形態では、一定のインピーダンスに維持するように制御するインピーダンス制御回路２１を用いた（図１等を参照）。このインピーダンス制御回路２１に代えて、電話機３０でダイヤル操作が行われる際に電話回線Ｌの電圧（または電流）を一定に維持するように制御する電力制御回路を用いてもよい。交換機１０は電源を電話回線Ｌに供給するとともに、電話回線Ｌにおける電圧や電流の変化によって電話番号を認識する構成となっている場合には、電力制御回路が電圧や電流を一定に維持することで交換機１０による電話番号の認識を阻止することができる。
【００２７】
（３）上述した実施の形態では、交換機１０として外部（構外；一般的には電話会社）の交換機を適用したが、構内交換機（ＰＢＸ）にも同様に適用することができる。構内交換機は、プレフィックス（例えば「０」）が電話番号に付加されているか否かで外線番号／内線番号を識別する機能を有している場合がある。しかし、このような識別機能を有しない構内交換機であっても、構外の交換機に内線番号等が漏れるのを防止できる。
【図面の簡単な説明】
【００２８】
【図１】本発明の構成例を模式的に表す図である。
【図２】ダイヤル操作時の状態を模式的に表す図である。
【図３】インピーダンスの経時的な変化を表す図である。
【図４】選択信号送出時の状態を模式的に表す図である。
【符号の説明】
【００２９】
１０  交換機
２０  アダプタ
２１  インピーダンス制御回路
２２  演算回路
２３  ピークホールド回路
２４  レギュレータ
２５  記憶送出回路
２６  検出制御回路
３０  電話機（端末）
Ｌ  電話回線
Ｌ１、Ｌ２  通信線
Ｒ１、Ｒ２  抵抗器
ＳＷ１、ＳＷ２、ＳＷ３  スイッチ
ＳＷｆ  フックスイッチ
Ｐ１、Ｐ２  接続点
【図１】
2007318213.tif 000003
【図２】
2007318213.tif 000004
【図３】
2007318213.tif 000005
【図４】
2007318213.tif 000006